【手続補正書】
【提出日】令和3年11月26日(2021.11.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ダウンリンク送信に関連付けられかつ第１の送信時間間隔（ＴＴＩ）または短縮されたＴＴＩ（ｓＴＴＩ）を用いて構成された第１のコンポーネントキャリアのためのハイブリッド自動再送要求（ＨＡＲＱ）タイミングを識別すること、ここにおいて、前記第１のコンポーネントキャリアのための前記ＨＡＲＱタイミングは、アップリンク送信に関連付けられた第２のコンポーネントキャリアのために構成された第２のｓＴＴＩに対応し、ここにおいて、前記第２のｓＴＴＩは、前記第１のＴＴＩまたはｓＴＴＩより短い、と、
前記第１のＴＴＩまたはｓＴＴＩを使用して、前記第１のコンポーネントキャリア上でダウンリンク送信を受信することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを送信することと
を備える方法。
【請求項２】
前記第１のコンポーネントキャリアのための前記ＨＡＲＱタイミングを識別することは、
前記第１のコンポーネントキャリア上で前記ＨＡＲＱタイミングのインジケーションを受信すること
を備える、請求項１に記載の方法。
【請求項３】
１つまたは複数のユーザ機器（ＵＥ）能力のインジケーションを送信すること、ここにおいて、前記ＨＡＲＱタイミングは、前記１つまたは複数のＵＥ能力に少なくとも部分的にさらに基づく、
をさらに備える、請求項１に記載の方法。
【請求項４】
前記ダウンリンクＨＡＲＱ  ＡＣＫ／ＮＡＣＫメッセージは、前記第２のｓＴＴＩを使用して、前記第２のコンポーネントキャリア上で送信される、請求項１に記載の方法。
【請求項５】
前記第１のコンポーネントキャリアおよび前記第２のコンポーネントキャリアは、同じＰＵＣＣＨグループに対応する、請求項１に記載の方法。
【請求項６】
前記第１のコンポーネントキャリアは、時分割複信（ＴＤＤ）モード、ライセンス支援型アクセス（ＬＡＡ）モード、拡張ＬＡＡ（ｅＬＡＡ）モード、またはこれらの組合せで構成される、請求項１に記載の方法。
【請求項７】
前記第１のコンポーネントキャリアまたは前記第２のコンポーネントキャリアは、周波数分割複信（ＦＤＤ）モードで構成される、請求項１に記載の方法。
【請求項８】
ワイヤレス通信のための方法であって、
ダウンリンク送信のための第１の送信時間間隔（ＴＴＩ）または短縮されたＴＴＩ（ｓＴＴＩ）を用いて第１のコンポーネントキャリアを、およびアップリンク送信のための第２のｓＴＴＩを用いて第２のコンポーネントキャリアを構成すること、ここにおいて、前記第２のｓＴＴＩは、前記第１のＴＴＩまたはｓＴＴＩより短い、と、
ダウンリンク送信に関連付けられかつ前記第１のコンポーネントキャリアのためのハイブリッド自動再送要求（ＨＡＲＱ）タイミングを識別すること、ここにおいて、前記第１のコンポーネントキャリアのための前記ＨＡＲＱタイミングは、前記第２のコンポーネントキャリアのために構成された前記第２のｓＴＴＩに対応する、と、
前記第１のＴＴＩまたはｓＴＴＩを使用して、前記第１のコンポーネントキャリア上でダウンリンク送信を実行することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを受信することと
を備える方法。
【請求項９】
前記第１のＴＴＩまたはｓＴＴＩは、７個の直交周波数分割多重（ＯＦＤＭ）シンボルに及ぶｓＴＴＩを備える、請求項１または請求項８に記載の方法。
【請求項１０】
前記第１のＴＴＩまたはｓＴＴＩは、１４個の直交周波数分割多重（ＯＦＤＭ）シンボルに及ぶＴＴＩを備える、請求項１または請求項８に記載の方法。
【請求項１１】
前記第２のｓＴＴＩは、２個または３個の直交周波数分割多重（ＯＦＤＭ）シンボルに及ぶ、請求項１または請求項８に記載の方法。
【請求項１２】
前記第１のコンポーネントキャリアは、セカンダリセル（ＳＣｅｌｌ）コンポーネントキャリアを備え、
前記第２のコンポーネントキャリアは、プライマリセル（ＰＣｅｌｌ）コンポーネントキャリアまたは物理アップリンク制御チャネルＳＣｅｌｌ（ＰＳＣｅｌｌ）コンポーネントキャリアを備える、
請求項１または請求項８に記載の方法。
【請求項１３】
ワイヤレス通信のための装置であって、
ダウンリンク送信に関連付けられかつ第１の送信時間間隔（ＴＴＩ）または短縮されたＴＴＩ（ｓＴＴＩ）を用いて構成された第１のコンポーネントキャリアのためのハイブリッド自動再送要求（ＨＡＲＱ）タイミングを識別するための手段、ここにおいて、前記第１のコンポーネントキャリアのための前記ＨＡＲＱタイミングは、アップリンク送信に関連付けられた第２のコンポーネントキャリアのために構成された第２のｓＴＴＩに対応し、ここにおいて、前記第２のｓＴＴＩは、前記第１のＴＴＩまたはｓＴＴＩより短い、と、
前記第１のＴＴＩまたはｓＴＴＩを使用して、前記第１のコンポーネントキャリア上でダウンリンク送信を受信するための手段と、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを送信するための手段と
を備える装置。
【請求項１４】
ワイヤレス通信のための装置であって、
ダウンリンク送信のための第１の送信時間間隔（ＴＴＩ）または短縮されたＴＴＩ（ｓＴＴＩ）を用いて第１のコンポーネントキャリアを、およびアップリンク送信のための第２のｓＴＴＩを用いて第２のコンポーネントキャリアを構成するための手段、ここにおいて、前記第２のｓＴＴＩは、前記第１のＴＴＩまたはｓＴＴＩより短い、と、
ダウンリンク送信に関連付けられかつ前記第１のコンポーネントキャリアのためのハイブリッド自動再送要求（ＨＡＲＱ）タイミングを識別するための手段、ここにおいて、前記第１のコンポーネントキャリアのための前記ＨＡＲＱタイミングは、前記第２のコンポーネントキャリアのために構成された前記第２のｓＴＴＩに対応する、と、
前記第１のＴＴＩまたはｓＴＴＩを使用して、前記第１のコンポーネントキャリア上でダウンリンク送信を実行するための手段と、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを受信するための手段と
を備える装置。
【請求項１５】
ワイヤレス通信のためのコードを記憶した非一時的なコンピュータ可読媒体であって、前記コードは、請求項１ないし１２のいずれかに記載の方法を実行するように、プロセッサによって実行可能な命令を備える、非一時的なコンピュータ可読媒体。
【手続補正２】
【補正対象書類名】明細書
【補正対象項目名】０１７１
【補正方法】変更
【補正の内容】
【０１７１】
[0180]本明細書の説明は、当業者が本開示を製造または使用することを可能にするために提供された。本開示への様々な変更は、当業者には容易に明らかとなり、本明細書で定義した一般原理は、本開示の範囲から逸脱することなく、他の変形形態に適用され得る。したがって、本開示は、本明細書で説明された例および設計に限定されず、本明細書で開示された原理および新規の特徴に合致する最も広い範囲を与えられることとなる。
以下に本願の出願当初の特許請求の範囲に記載された発明を付記する。
［Ｃ１］  ワイヤレス通信のための方法であって、
ダウンリンク送信に関連付けられかつ第１の送信時間間隔（ＴＴＩ）または短縮されたＴＴＩ（ｓＴＴＩ）を用いて構成された第１のコンポーネントキャリアのためのハイブリッド自動再送要求（ＨＡＲＱ）タイミングを識別すること、前記第１のコンポーネントキャリアのための前記ＨＡＲＱタイミングは、アップリンク送信に関連付けられた第２のコンポーネントキャリアのために構成された第２のｓＴＴＩに少なくとも部分的に基づき、ここにおいて、前記第２のｓＴＴＩは、前記第１のＴＴＩまたはｓＴＴＩより短い、と、
前記第１のＴＴＩまたはｓＴＴＩを使用して、前記第１のコンポーネントキャリア上でダウンリンク送信を受信することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを送信することと
を備える方法。
［Ｃ２］  前記第１のコンポーネントキャリアのための前記ＨＡＲＱタイミングを識別することは、
前記第１のコンポーネントキャリア上で前記ＨＡＲＱタイミングのインジケーションを受信すること
を備える、Ｃ１に記載の方法。
［Ｃ３］  １つまたは複数のユーザ機器（ＵＥ）能力のインジケーションを送信すること、ここにおいて、前記ＨＡＲＱタイミングは、前記１つまたは複数のＵＥ能力に少なくとも部分的にさらに基づく、
をさらに備える、Ｃ１に記載の方法。
［Ｃ４］  前記１つまたは複数のＵＥ能力は、トランスポートブロックサイズ（ＴＢＳ）、レイヤの数、基準信号タイプ、物理ダウンリンク制御チャネル（ＰＤＣＣＨ）送信持続時間、ｓＴＴＩ  ＰＤＣＣＨ送信持続時間、ブラインド復号の数、前記ＰＤＣＣＨまたは前記ｓＴＴＩ  ＰＤＣＣＨのための探索空間サイズ、またはこれらの組合せを備える、Ｃ３に記載の方法。
［Ｃ５］  前記１つまたは複数のＵＥ能力は、前記ダウンリンクＨＡＲＱ  ＡＣＫ／ＮＡＣＫメッセージを送信するＵＥに対応し、前記方法は、
前記第１のＴＴＩまたはｓＴＴＩを用いて構成されたコンポーネントキャリアの数、前記ＵＥのために構成されたコンポーネントキャリアの総数、またはこれらの組合せを決定すること、ここにおいて、前記１つまたは複数のＵＥ能力の前記インジケーションは、前記第１のＴＴＩまたはｓＴＴＩを用いて構成されたコンポーネントキャリアの前記数、前記ＵＥのために構成されたコンポーネントキャリアの前記総数、またはこれらの前記組合せに少なくとも部分的に基づく、
をさらに備える、Ｃ３に記載の方法。
［Ｃ６］  前記第２のｓＴＴＩ、前記１つまたは複数のＵＥ能力、またはこれらの組合せに少なくとも部分的に基づいて、最大タイミングアドバンス（ＴＡ）を決定すること
をさらに備える、Ｃ３に記載の方法。
［Ｃ７］  前記ダウンリンクＨＡＲＱ  ＡＣＫ／ＮＡＣＫメッセージは、前記第２のｓＴＴＩを使用して、前記第２のコンポーネントキャリア上で送信される、Ｃ１に記載の方法。
［Ｃ８］  前記第１のコンポーネントキャリアおよび前記第２のコンポーネントキャリアは、同じＰＵＣＣＨグループに対応する、Ｃ１に記載の方法。
［Ｃ９］  前記第１のコンポーネントキャリアは、時分割複信（ＴＤＤ）モード、ライセンス支援型アクセス（ＬＡＡ）モード、拡張ＬＡＡ（ｅＬＡＡ）モード、またはこれらの組合せで構成される、Ｃ１に記載の方法。
［Ｃ１０］  前記第１のコンポーネントキャリアまたは前記第２のコンポーネントキャリアは、周波数分割複信（ＦＤＤ）モードで構成される、Ｃ１に記載の方法。
［Ｃ１１］  前記第１のＴＴＩまたはｓＴＴＩは、７個の直交周波数分割多重（ＯＦＤＭ）シンボルに及ぶｓＴＴＩを備える、Ｃ１に記載の方法。
［Ｃ１２］  前記第１のＴＴＩまたはｓＴＴＩは、１４個の直交周波数分割多重（ＯＦＤＭ）シンボルに及ぶＴＴＩを備える、Ｃ１に記載の方法。
［Ｃ１３］  前記ＴＴＩは、２つのスロットに分割され、前記ダウンリンク送信は、前記２つのスロットの各々にわたって受信される、Ｃ１２に記載の方法。
［Ｃ１４］  前記第２のｓＴＴＩは、２個または３個の直交周波数分割多重（ＯＦＤＭ）シンボルに及ぶ、Ｃ１に記載の方法。
［Ｃ１５］  前記第１のコンポーネントキャリアは、セカンダリセル（ＳＣｅｌｌ）コンポーネントキャリアを備え、
前記第２のコンポーネントキャリアは、プライマリセル（ＰＣｅｌｌ）コンポーネントキャリアまたは物理アップリンク制御チャネルＳＣｅｌｌ（ＰＳＣｅｌｌ）コンポーネントキャリアを備える、
Ｃ１に記載の方法。
［Ｃ１６］  ワイヤレス通信のための方法であって、
ダウンリンク送信のための第１の送信時間間隔（ＴＴＩ）または短縮されたＴＴＩ（ｓＴＴＩ）を用いて第１のコンポーネントキャリアを、およびアップリンク送信のための第２のｓＴＴＩを用いて第２のコンポーネントキャリアを構成すること、ここにおいて、前記第２のｓＴＴＩは、前記第１のＴＴＩまたはｓＴＴＩより短い、と、
前記第２のコンポーネントキャリアのために構成された前記第２のｓＴＴＩに少なくとも部分的に基づいて、ダウンリンク送信に関連付けられかつ前記第１のコンポーネントキャリアのためのハイブリッド自動再送要求（ＨＡＲＱ）タイミングを識別することと、  前記第１のＴＴＩまたはｓＴＴＩを使用して、前記第１のコンポーネントキャリア上でダウンリンク送信を実行することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを受信することと
を備える方法。
［Ｃ１７］  前記第１のコンポーネントキャリア上で前記ＨＡＲＱタイミングのインジケーションを送信すること
をさらに備える、Ｃ１６に記載の方法。
［Ｃ１８］  １つまたは複数のユーザ機器（ＵＥ）能力を識別すること、ここにおいて、前記ＨＡＲＱタイミングを識別することは、前記１つまたは複数のＵＥ能力に少なくとも部分的にさらに基づく、
をさらに備える、Ｃ１６に記載の方法。
［Ｃ１９］  前記１つまたは複数のＵＥ能力は、トランスポートブロックサイズ（ＴＢＳ）、レイヤの数、基準信号タイプ、物理ダウンリンク制御チャネル（ＰＤＣＣＨ）送信持続時間、ｓＴＴＩ  ＰＤＣＣＨ送信持続時間、ブラインド復号の数、前記ＰＤＣＣＨまたは前記ｓＴＴＩ  ＰＤＣＣＨのための探索空間サイズ、またはこれらの組合せを備える、Ｃ１８に記載の方法。
［Ｃ２０］  前記１つまたは複数のＵＥ能力は、前記ダウンリンクＨＡＲＱ  ＡＣＫ／ＮＡＣＫメッセージを送信するＵＥに対応し、
前記１つまたは複数のＵＥ能力は、前記第１のＴＴＩまたはｓＴＴＩを用いて構成されたコンポーネントキャリアの数、前記ＵＥのために構成されたコンポーネントキャリアの総数、またはこれらの組合せに少なくとも部分的に基づく、
Ｃ１８に記載の方法。
［Ｃ２１］  前記１つまたは複数のＵＥ能力を識別することは、
前記１つまたは複数のＵＥ能力のインジケーションを受信すること
を備える、Ｃ１８に記載の方法。
［Ｃ２２］  前記ダウンリンクＨＡＲＱ  ＡＣＫ／ＮＡＣＫメッセージは、前記第２のｓＴＴＩを使用して、前記第２のコンポーネントキャリア上で受信される、Ｃ１６に記載の方法。
［Ｃ２３］  前記第１のコンポーネントキャリアおよび前記第２のコンポーネントキャリアは、同じＰＵＣＣＨグループに対応する、Ｃ１６に記載の方法。
［Ｃ２４］  時分割複信（ＴＤＤ）モード、ライセンス支援型アクセス（ＬＡＡ）モード、拡張ＬＡＡ（ｅＬＡＡ）モード、またはこれらの組合せで、前記第１のコンポーネントキャリアを構成すること
をさらに備える、Ｃ１６に記載の方法。
［Ｃ２５］  周波数分割複信（ＦＤＤ）モードで、前記第１のコンポーネントキャリアまたは前記第２のコンポーネントキャリアを構成すること
をさらに備える、Ｃ１６に記載の方法。
［Ｃ２６］  前記第１のＴＴＩまたはｓＴＴＩは、７個の直交周波数分割多重（ＯＦＤＭ）シンボルに及ぶｓＴＴＩを備える、Ｃ１６に記載の方法。
［Ｃ２７］  前記第１のＴＴＩまたはｓＴＴＩは、１４個の直交周波数分割多重（ＯＦＤＭ）シンボルに及ぶＴＴＩを備える、Ｃ１６に記載の方法。
［Ｃ２８］  前記ＴＴＩを２つのスロットに分割すること、ここにおいて、前記ダウンリンク送信は、前記２つのスロットの各々にわたって実行される、
をさらに備える、Ｃ２７に記載の方法。
［Ｃ２９］  前記第２のｓＴＴＩは、２個または３個の直交周波数分割多重（ＯＦＤＭ）シンボルに及ぶ、Ｃ１６に記載の方法。
［Ｃ３０］  前記第１のコンポーネントキャリアは、セカンダリセル（ＳＣｅｌｌ）コンポーネントキャリアを備え、
前記第２のコンポーネントキャリアは、プライマリセル（ＰＣｅｌｌ）コンポーネントキャリアまたは物理アップリンク制御チャネルＳＣｅｌｌ（ＰＳＣｅｌｌ）コンポーネントキャリアを備える、
Ｃ１６に記載の方法。
［Ｃ３１］  ワイヤレス通信のための装置であって、
ダウンリンク送信に関連付けられかつ第１の送信時間間隔（ＴＴＩ）または短縮されたＴＴＩ（ｓＴＴＩ）を用いて構成された第１のコンポーネントキャリアのためのハイブリッド自動再送要求（ＨＡＲＱ）タイミングを識別するための手段、前記第１のコンポーネントキャリアのための前記ＨＡＲＱタイミングは、アップリンク送信に関連付けられた第２のコンポーネントキャリアのために構成された第２のｓＴＴＩに少なくとも部分的に基づき、ここにおいて、前記第２のｓＴＴＩは、前記第１のＴＴＩまたはｓＴＴＩより短い、と、
前記第１のＴＴＩまたはｓＴＴＩを使用して、前記第１のコンポーネントキャリア上でダウンリンク送信を受信するための手段と、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを送信するための手段と
を備える装置。
［Ｃ３２］  ワイヤレス通信のための装置であって、
ダウンリンク送信のための第１の送信時間間隔（ＴＴＩ）または短縮されたＴＴＩ（ｓＴＴＩ）を用いて第１のコンポーネントキャリアを、およびアップリンク送信のための第２のｓＴＴＩを用いて第２のコンポーネントキャリアを構成するための手段、ここにおいて、前記第２のｓＴＴＩは、前記第１のＴＴＩまたはｓＴＴＩより短い、と、
前記第２のコンポーネントキャリアのために構成された前記第２のｓＴＴＩに少なくとも部分的に基づいて、ダウンリンク送信に関連付けられかつ前記第１のコンポーネントキャリアのためのハイブリッド自動再送要求（ＨＡＲＱ）タイミングを識別するための手段と、
前記第１のＴＴＩまたはｓＴＴＩを使用して、前記第１のコンポーネントキャリア上でダウンリンク送信を実行するための手段と、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを受信するための手段と
を備える装置。
［Ｃ３３］  ワイヤレス通信のための装置であって、
プロセッサと、
前記プロセッサと電子通信状態にあるメモリと、
前記装置に、
ダウンリンク送信に関連付けられかつ第１の送信時間間隔（ＴＴＩ）または短縮されたＴＴＩ（ｓＴＴＩ）を用いて構成された第１のコンポーネントキャリアのためのハイブリッド自動再送要求（ＨＡＲＱ）タイミングを識別すること、前記第１のコンポーネントキャリアのための前記ＨＡＲＱタイミングは、アップリンク送信に関連付けられた第２のコンポーネントキャリアのために構成された第２のｓＴＴＩに少なくとも部分的に基づき、ここにおいて、前記第２のｓＴＴＩは、前記第１のＴＴＩまたはｓＴＴＩより短い、と、
前記第１のＴＴＩまたはｓＴＴＩを使用して、前記第１のコンポーネントキャリア上でダウンリンク送信を受信することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを送信することと
を行わせるように、前記プロセッサによって実行可能でありかつ前記メモリに記憶された命令と
を備える装置。
［Ｃ３４］  前記第１のコンポーネントキャリアのための前記ＨＡＲＱタイミングを識別するための前記命令は、前記装置に、
前記第１のコンポーネントキャリア上で前記ＨＡＲＱタイミングのインジケーションを受信すること
を行わせるように、前記プロセッサによって実行可能である、Ｃ３３に記載の装置。
［Ｃ３５］  前記命令は、前記装置に、
１つまたは複数のユーザ機器（ＵＥ）能力のインジケーションを送信すること、ここにおいて、前記ＨＡＲＱタイミングは、前記１つまたは複数のＵＥ能力に少なくとも部分的にさらに基づく、
を行わせるように、前記プロセッサによってさらに実行可能である、Ｃ３３に記載の装置。
［Ｃ３６］  前記１つまたは複数のＵＥ能力は、トランスポートブロックサイズ（ＴＢＳ）、レイヤの数、基準信号タイプ、物理ダウンリンク制御チャネル（ＰＤＣＣＨ）送信持続時間、ｓＴＴＩ  ＰＤＣＣＨ送信持続時間、ブラインド復号の数、前記ＰＤＣＣＨまたは前記ｓＴＴＩ  ＰＤＣＣＨのための探索空間サイズ、またはこれらの組合せを備える、Ｃ３５に記載の装置。
［Ｃ３７］  前記１つまたは複数のＵＥ能力は、前記ダウンリンクＨＡＲＱ  ＡＣＫ／ＮＡＣＫメッセージを送信するＵＥに対応し、前記命令は、前記装置に、
前記第１のＴＴＩまたはｓＴＴＩを用いて構成されたコンポーネントキャリアの数、前記ＵＥのために構成されたコンポーネントキャリアの総数、またはこれらの組合せを決定すること、ここにおいて、前記１つまたは複数のＵＥ能力の前記インジケーションは、前記第１のＴＴＩまたはｓＴＴＩを用いて構成されたコンポーネントキャリアの前記数、前記ＵＥのために構成されたコンポーネントキャリアの前記総数、またはこれらの前記組合せに少なくとも部分的に基づく、
を行わせるように、前記プロセッサによってさらに実行可能である、Ｃ３５に記載の装置。
［Ｃ３８］  前記命令は、前記装置に、
前記第２のｓＴＴＩ、前記１つまたは複数のＵＥ能力、またはこれらの組合せに少なくとも部分的に基づいて、最大タイミングアドバンス（ＴＡ）を決定すること
を行わせるように、前記プロセッサによってさらに実行可能である、Ｃ３５に記載の装置。
［Ｃ３９］  前記ダウンリンクＨＡＲＱ  ＡＣＫ／ＮＡＣＫメッセージは、前記第２のｓＴＴＩを使用して、前記第２のコンポーネントキャリア上で送信される、Ｃ３３に記載の装置。
［Ｃ４０］  前記第１のコンポーネントキャリアおよび前記第２のコンポーネントキャリアは、同じＰＵＣＣＨグループに対応する、Ｃ３３に記載の装置。
［Ｃ４１］  前記第１のコンポーネントキャリアは、時分割複信（ＴＤＤ）モード、ライセンス支援型アクセス（ＬＡＡ）モード、拡張ＬＡＡ（ｅＬＡＡ）モード、またはこれらの組合せで構成される、Ｃ３３に記載の装置。
［Ｃ４２］  前記第１のコンポーネントキャリアまたは前記第２のコンポーネントキャリアは、周波数分割複信（ＦＤＤ）モードで構成される、Ｃ３３に記載の装置。
［Ｃ４３］  前記第１のＴＴＩまたはｓＴＴＩは、７個の直交周波数分割多重（ＯＦＤＭ）シンボルに及ぶｓＴＴＩを備える、Ｃ３３に記載の装置。
［Ｃ４４］  前記第１のＴＴＩまたはｓＴＴＩは、１４個の直交周波数分割多重（ＯＦＤＭ）シンボルに及ぶＴＴＩを備える、Ｃ３３に記載の装置。
［Ｃ４５］  前記ＴＴＩは、２つのスロットに分割され、前記ダウンリンク送信は、前記２つのスロットの各々にわたって受信される、Ｃ４４に記載の装置。
［Ｃ４６］  前記第２のｓＴＴＩは、２個または３個の直交周波数分割多重（ＯＦＤＭ）シンボルに及ぶ、Ｃ３３に記載の装置。
［Ｃ４７］  前記第１のコンポーネントキャリアは、セカンダリセル（ＳＣｅｌｌ）コンポーネントキャリアを備え、
前記第２のコンポーネントキャリアは、プライマリセル（ＰＣｅｌｌ）コンポーネントキャリアまたは物理アップリンク制御チャネルＳＣｅｌｌ（ＰＳＣｅｌｌ）コンポーネントキャリアを備える、
Ｃ３３に記載の装置。
［Ｃ４８］  ワイヤレス通信のための装置であって、
プロセッサと、
前記プロセッサと電子通信状態にあるメモリと、
前記装置に、
ダウンリンク送信のための第１の送信時間間隔（ＴＴＩ）または短縮されたＴＴＩ（ｓＴＴＩ）を用いて第１のコンポーネントキャリアを、およびアップリンク送信のための第２のｓＴＴＩを用いて第２のコンポーネントキャリアを構成すること、ここにおいて、前記第２のｓＴＴＩは、前記第１のＴＴＩまたはｓＴＴＩより短い、と、
前記第２のコンポーネントキャリアのために構成された前記第２のｓＴＴＩに少なくとも部分的に基づいて、ダウンリンク送信に関連付けられかつ前記第１のコンポーネントキャリアのためのハイブリッド自動再送要求（ＨＡＲＱ）タイミングを識別することと、    前記第１のＴＴＩまたはｓＴＴＩを使用して、前記第１のコンポーネントキャリア上でダウンリンク送信を実行することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを受信することと
を行わせるように、前記プロセッサによって実行可能でありかつ前記メモリに記憶された命令と
を備える装置。
［Ｃ４９］  前記命令は、前記装置に、
前記第１のコンポーネントキャリア上で前記ＨＡＲＱタイミングのインジケーションを送信すること
を行わせるように、前記プロセッサによってさらに実行可能である、Ｃ４８に記載の装置。
［Ｃ５０］  前記命令は、前記装置に、
１つまたは複数のユーザ機器（ＵＥ）能力を識別すること、ここにおいて、前記ＨＡＲＱタイミングを識別することは、前記１つまたは複数のＵＥ能力に少なくとも部分的にさらに基づく、
を行わせるように、前記プロセッサによってさらに実行可能である、Ｃ４８に記載の装置。
［Ｃ５１］  前記１つまたは複数のＵＥ能力は、トランスポートブロックサイズ（ＴＢＳ）、レイヤの数、基準信号タイプ、物理ダウンリンク制御チャネル（ＰＤＣＣＨ）送信持続時間、ｓＴＴＩ  ＰＤＣＣＨ送信持続時間、ブラインド復号の数、前記ＰＤＣＣＨまたは前記ｓＴＴＩ  ＰＤＣＣＨのための探索空間サイズ、またはこれらの組合せを備える、Ｃ５０に記載の装置。
［Ｃ５２］  前記１つまたは複数のＵＥ能力は、前記ダウンリンクＨＡＲＱ  ＡＣＫ／ＮＡＣＫメッセージを送信するＵＥに対応し、
前記１つまたは複数のＵＥ能力は、前記第１のＴＴＩまたはｓＴＴＩを用いて構成されたコンポーネントキャリアの数、前記ＵＥのために構成されたコンポーネントキャリアの総数、またはこれらの組合せに少なくとも部分的に基づく、
Ｃ５０に記載の装置。
［Ｃ５３］  前記１つまたは複数のＵＥ能力を識別するための前記命令は、前記装置に、
前記１つまたは複数のＵＥ能力のインジケーションを受信すること
を行わせるように、前記プロセッサによって実行可能である、Ｃ５０に記載の装置。
［Ｃ５４］  前記ダウンリンクＨＡＲＱ  ＡＣＫ／ＮＡＣＫメッセージは、前記第２のｓＴＴＩを使用して、前記第２のコンポーネントキャリア上で受信される、Ｃ４８に記載の装置。
［Ｃ５５］  前記第１のコンポーネントキャリアおよび前記第２のコンポーネントキャリアは、同じＰＵＣＣＨグループに対応する、Ｃ４８に記載の装置。
［Ｃ５６］  前記命令は、前記装置に、
時分割複信（ＴＤＤ）モード、ライセンス支援型アクセス（ＬＡＡ）モード、拡張ＬＡＡ（ｅＬＡＡ）モード、またはこれらの組合せで、前記第１のコンポーネントキャリアを構成すること
を行わせるように、前記プロセッサによってさらに実行可能である、Ｃ４８に記載の装置。
［Ｃ５７］  前記命令は、前記装置に、
周波数分割複信（ＦＤＤ）モードで、前記第１のコンポーネントキャリアまたは前記第２のコンポーネントキャリアを構成すること
を行わせるように、前記プロセッサによってさらに実行可能である、Ｃ４８に記載の装置。
［Ｃ５８］  前記第１のＴＴＩまたはｓＴＴＩは、７個の直交周波数分割多重（ＯＦＤＭ）シンボルに及ぶｓＴＴＩを備える、Ｃ４８に記載の装置。
［Ｃ５９］  前記第１のＴＴＩまたはｓＴＴＩは、１４個の直交周波数分割多重（ＯＦＤＭ）シンボルに及ぶＴＴＩを備える、Ｃ４８に記載の装置。
［Ｃ６０］  前記命令は、前記装置に、
前記ＴＴＩを２つのスロットに分割すること、ここにおいて、前記ダウンリンク送信は、前記２つのスロットの各々にわたって実行される、
を行わせるように、前記プロセッサによってさらに実行可能である、Ｃ５９に記載の装置。
［Ｃ６１］  前記第２のｓＴＴＩは、２個または３個の直交周波数分割多重（ＯＦＤＭ）シンボルに及ぶ、Ｃ４８に記載の装置。
［Ｃ６２］  前記第１のコンポーネントキャリアは、セカンダリセル（ＳＣｅｌｌ）コンポーネントキャリアを備え、
前記第２のコンポーネントキャリアは、プライマリセル（ＰＣｅｌｌ）コンポーネントキャリアまたは物理アップリンク制御チャネルＳＣｅｌｌ（ＰＳＣｅｌｌ）コンポーネントキャリアを備える、
Ｃ４８に記載の装置。
［Ｃ６３］  ワイヤレス通信のためのコードを記憶した非一時的なコンピュータ可読媒体であって、前記コードは、
ダウンリンク送信に関連付けられかつ第１の送信時間間隔（ＴＴＩ）または短縮されたＴＴＩ（ｓＴＴＩ）を用いて構成された第１のコンポーネントキャリアのためのハイブリッド自動再送要求（ＨＡＲＱ）タイミングを識別すること、前記第１のコンポーネントキャリアのための前記ＨＡＲＱタイミングは、アップリンク送信に関連付けられた第２のコンポーネントキャリアのために構成された第２のｓＴＴＩに少なくとも部分的に基づき、ここにおいて、前記第２のｓＴＴＩは、前記第１のＴＴＩまたはｓＴＴＩより短い、と、
前記第１のＴＴＩまたはｓＴＴＩを使用して、前記第１のコンポーネントキャリア上でダウンリンク送信を受信することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを送信することと
を行うように、プロセッサによって実行可能な命令を備える、非一時的なコンピュータ可読媒体。
［Ｃ６４］  ワイヤレス通信のためのコードを記憶した非一時的なコンピュータ可読媒体であって、前記コードは、
ダウンリンク送信のための第１の送信時間間隔（ＴＴＩ）または短縮されたＴＴＩ（ｓＴＴＩ）を用いて第１のコンポーネントキャリアを、およびアップリンク送信のための第２のｓＴＴＩを用いて第２のコンポーネントキャリアを構成すること、ここにおいて、前記第２のｓＴＴＩは、前記第１のＴＴＩまたはｓＴＴＩより短い、と、
前記第２のコンポーネントキャリアのために構成された前記第２のｓＴＴＩに少なくとも部分的に基づいて、ダウンリンク送信に関連付けられかつ前記第１のコンポーネントキャリアのためのハイブリッド自動再送要求（ＨＡＲＱ）タイミングを識別することと、    前記第１のＴＴＩまたはｓＴＴＩを使用して、前記第１のコンポーネントキャリア上でダウンリンク送信を実行することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを受信することと
を行うように、プロセッサによって実行可能な命令を備える、非一時的なコンピュータ可読媒体。